(57)【要約】【課題】放射線によって励起され、光を照射することによって蛍光を発する特性を持つ放射線測定素子の放射線測定装置において、放射線測定素子の蛍光量に比例関係のある光源の光量の変化を調べるためには光源部を外して光量計で測定しなければならないという課題があった。【解決手段】放射線測定装置は、蛍光８を受光する光電子増倍管１２の前面に配備した光学フィルタを複数とし、その光学フィルタの一部を抜き差しできる構造とすることにより、放射線測定素子の蛍光量に比例関係のある光源１の光量の変化のモニタを容易かつ高精度に実施可能とする。【選択図】    図１
2004163307.tif 000002
【特許請求の範囲】
【請求項１】
光源からの光による光刺激により発生する放射線測定素子からの蛍光を光電子増倍管で測定する装置において、前記光源の光量を測定する場合に、前記光電子増倍管の入射部の前に設けられた光学フィルタのシャッタリングを行うことを特徴とする放射線測定装置。
【請求項２】
光学フィルタは近接して設けられた複数の光学フィルタからなり、少なくとも１つの光学フィルタのシャッタリングを行う請求項１記載の放射線測定装置。
【請求項３】
光源が高輝度緑色ＬＥＤであることを特徴とする請求項１または２記載の放射線測定装置。
【請求項４】
光源が複数のＬＥＤの集合体であることを特徴とする請求項１または２記載の放射線測定装置。
【請求項５】
放射線測定素子が光刺激ルミネッセンス材料であることを特徴とする請求項１または２記載の放射線測定装置。
【請求項６】
光刺激ルミネッセンス材料が酸化アルミニウムであることを特徴とする請求項５記載の放射線測定装置。
【請求項７】
光学フィルタが青色光学フィルタであることを特徴とする請求項１または２記載の放射線測定装置。
【請求項８】
ソレノイドによりシャッタリングが行われることを特徴とする請求項１または２記載の放射線測定装置。
【発明の詳細な説明】
【０００１】
【発明の属する技術分野】
本発明は、原子力発電所、放射線利用施設及び加速器施設において使用される個人被ばく管理用線量計や環境測定用線量計に関する。
【０００２】
【従来の技術】
図３に従来の放射線測定装置の測定部を説明するための測定部概略構成図を示す。
【０００３】
図３において、放射線によって励起され、光を照射することによって蛍光を発する放射線測定素子２６に対して、光源２１で光２２を発生させる。そして、この光２２は、測定に有効な波長は透過させ有害な波長は遮断するための光学フィルタ２３を透過して光２５となり、メガホン状の集光管２４にて集光される。
【０００４】
そして、この光２５は放射線測定素子２６に照射され、この照射により放射線測定素子２６で発せられた蛍光２８は光ガイドガラス２７を通って光を電気信号に変換するための光電子増倍管３０に入る。
【０００５】
放射線測定素子２６からの蛍光２８の光量は光源２１からの光量に比例して増加するようになっている。また、光電子増倍管３０に蛍光２８が入る前に測定に有効な波長は透過させ、有害な波長はカットするための光学フィルタ２９を設けている。
【０００６】
なお、放射線測定装置の全体構成については、例えば特許文献１に掲載されている。
【０００７】
【特許文献１】
特表２０００−５０３３９６号公報
【０００８】
【発明が解決しようとする課題】
上記のような放射線測定装置において、光源の光量の変化を調べる場合には、光源部を取り外して光量計などで光量の測定しなければならなかった。
【０００９】
しかし、放射線測定装置は光学系を構成要件としており、このように光学系を有する製品は、一度組み立てた後に分解して再度組み立てを行うと光軸がずれるなどの不具合が生じやすくなるので、組み立て後の分解などは行わないのが通常である。
【００１０】
従って、従来の放射線測定装置においては、製品を分解して光路に光センサなどを配置するなどして光源の光量を測定することは大変困難であった。
【００１１】
本発明は、光源の光量を容易に測定できる放射線測定装置を実現することを目的とする。
【００１２】
【課題を解決するための手段】
本発明の放射線測定装置は、蛍光を受光する光電子増倍管の前面に配備した光学フィルタを複数とし、その光学フィルタの一部を抜き差しできるようにしたものである。
【００１３】
【発明の実施の形態】
以下、本発明の実施の形態について図面を用いて説明する。
【００１４】
図１に放射線測定装置の測定部構成概略図を示し、図２に光の波長の変化を説明するための波長スペクトル図を示す。
【００１５】
先ず、放射線を測定する場合について説明する。
【００１６】
放射線によって励起され、緑色ＬＥＤからの光を照射することにより青色の蛍光を発する酸化アルミニウムからなる光刺激ルミネッセンス素子６に対して、２２個の高輝度ＬＥＤからなる光源１により図２に示す波長スペクトル３１をもつ光２を照射する。
【００１７】
そして、この光２は、測定に有効な、即ち光刺激ルミネッセンス素子６の蛍光を発生させるために寄与する波長（５３０ｎｍ中心付近）は透過させ、測定に有害な、即ち光電子増倍管１２に感度があるため光刺激ルミネッセンス素子６からの蛍光に対してノイズ成分となる波長帯（４９０ｎｍ以下）をカットするための黄色光学フィルタ３（φ５０ｍｍ×９ｍｍ）を透過して図２に示す波長スペクトル３２をもつ光５となる。
【００１８】
この光５は、メガホン状のアルミニウム製集光管４にて光刺激ルミネッセンス素子６の中心部に集光（φ５ｍｍ）照射される。これにより光刺激ルミネッセンス素子６からは図２に示す波長スペクトル３３をもつ蛍光８が発生し、この蛍光８は光ガイドガラス７を通って光を電気信号に変換するための光電子増倍管１２に入る。また、図２の波長スペクトル３４は光源１が黄色光学フィルタ３を通り抜けた光でありノイズ成分となるが、蛍光８と同様に光ガイドガラス７を通って光電子増倍管１２に入る。ここで、光刺激ルミネッセンス素子６からの蛍光８の光量は、光源１の光量から光源１が黄色光学フィルタ３を通り抜けた光量を差し引いた光量に比例する。
【００１９】
さらに、光電子増倍管１２に蛍光８が入る前に、測定に有効な波長、即ち光刺激ルミネッセンス素子６からの蛍光８は透過させ、測定に有害な波長、即ち光源１から発せられ黄色光学フィルタ３を通り抜けた光をカットするために、厚みが異なるのみで材質が全く同じである２枚のフィルタを設けている。この２枚のフィルタの内、１つは青色光学フィルタ９（φ３０ｍｍ×３ｍｍ）であり、もう１つは青色光学フィルタ１１（φ３０ｍｍ×６ｍｍ）である。これらの青色光学フィルタの厚みは、ノイズ成分である図２の波長スペクトル３４を完全にカットできるように決める。
【００２０】
光電子増倍管１２では、これらの青色光学フィルタを透過した図２に示す波長スペクトル３５の光量をフォトンカウント計測し、光量に比例してパルスを発生させ、その計数値から予め実験により決定された計数値（カウント）と線量（ｍＳｖ）との換算係数を用いて光刺激ルミネッセンス素子６の被ばく線量（ｍＳｖ）を求める。
【００２１】
次に、光源１の光量を測定する場合について説明する。
【００２２】
光源１の光量を測定するためには、光刺激ルミネッセンス素子６は置かず、即ち光刺激ルミネッセンス素子６を１３の位置に移動させ、更に２枚の青色光学フィルタの内の１枚である青色光学フィルタ９をソレノイドによるシャッター機構により光路から外して１０の位置に移動させる。これにより光刺激ルミネッセンス素子６からは図２に示す波長スペクトル３３をもつ蛍光８は発生しない。
【００２３】
そして、光源１から発せられた図２に示す波長スペクトル３１をもつ光２は黄色光学フィルタ３を通り抜けて図２に示す波長スペクトル３２をもつ光５となり、この光５は光ガイドガラス７を通り、さらに２枚の青色光学フィルタの内の１枚であり光電子増倍管１２の近傍に設けられている青色光学フィルタ１１（φ３０ｍｍ×６ｍｍ）で減衰されて、図２に示す波長スペクトル３６をもつ光となり光電子増倍管１２に入る。
【００２４】
この光電子増倍管１２に入った光はフォトンカウント計測され、光電子増倍管１２により光量に比例してパルスを発生させ、このパルスの計数値を計測する。
【００２５】
上記により、初期計数値を基準として、光源１の使用経過後の光量変化率を管理することができる。例えば、初期光量（計数値）に対して−１０％の管理基準値を設けて、これを下回った場合にはＬＥＤを交換するようにする。
【００２６】
なお、本実施の形態において、光電子増倍管１２に入る前に設けられた青色光学フィルタを２つとし、光源１の光量を測定する場合には青色光学フィルタの１つを外し１つを残して測定したが、これは光電子増倍管１２は測定感度が良く、強い光が入射すると光電子増倍管１２の出力特性が飽和して正確な測定ができなくなることを防止するための減衰の手段として１つの青色光学フィルタを設けており、適切な強度になるように青色光学フィルタの１つを残したものである。従って、光源１の光量を測定する場合に、光源１の状態により減衰させる必要がないのであれば青色光学フィルタを２枚とも外し、青色光学フィルタがない状態で測定しても良い。
【００２７】
【発明の効果】
以上の説明から明らかなように、本発明によれば、放射線測定素子の蛍光量に比例関係のある光源の光量の変化のモニタが容易にできるため高精度の測定が可能な放射線測定装置を実現できる。
【図面の簡単な説明】
【図１】本実施の形態における放射線測定装置の測定部構成概略図
【図２】本実施の形態における波長スペクトル図
【図３】従来の放射線測定装置の測定部構成概略図
【符号の説明】
１  光源
２  光
３  黄色光学フィルタ
４  集光管
５  光
６、１３  光刺激ルミネッセンス素子
７  光ガイドガラス
８  蛍光
９、１０  青色光学フィルタ
１１  青色光学フィルタ
１２  光電子増倍管
２１  光源
２２  光
２３  光学フィルタ
２４  集光管
２５  光
２６  放射線測定素子
２７  光ガイドガラス
２８  蛍光
２９  光学フィルタ
３０  光電子増倍管
３１  波長スペクトル
３２  波長スペクトル
３３  波長スペクトル
３４  波長スペクトル
３５  波長スペクトル
３６  波長スペクトル
【図１】
2004163307.tif 000003
【図２】
2004163307.tif 000004
【図３】
2004163307.tif 000005